(57)【特許請求の範囲】
【請求項１】
配電線路のすべての相間電圧に基づいて、すべての前記相間電圧を調整する基準となる基準相間を設定する基準相間設定部と、
前記基準相間設定部により設定される前記基準相間に基づいて複数の前記相間電圧のすべてを一律に調整する信号を送出する自動電圧調整部と、
前記自動電圧調整部から送出された信号に基づいて前記配電線路を構成する各配電線の電圧を変更する電圧変更部と、
を備え、
前記基準相間設定部は、
各相間の前記相間電圧から前記基準相間を判定するための相間条件を設定可能な相間条件設定部と、
複数の前記相間電圧の中から前記相間条件に最も適する前記相間電圧の相間を前記基準相間と判定する基準相間判定部とを有し、
前記相間条件設定部は、前記配電線路から電力の供給を受ける需要家設備が整定電圧よりも高い電圧を望む場合、複数の前記相間電圧の中で最も低い相間電圧を基準相間とする第１の相間条件を設定可能であることを特徴とする自動電圧調整装置。
【請求項２】
前記相間条件設定部は、前記配電線路から電力の供給を受ける需要家設備が整定電圧を望む場合、複数の前記相間電圧の中で最も高い相間と最も低い相間の間の相間電圧を基準相間とする第２の相間条件を設定可能である請求項１に記載の自動電圧調整装置。
【請求項３】
配電線路のすべての相間電圧に基づいて、すべての前記相間電圧を調整する基準となる基準相間を設定する基準相間設定部と、
前記基準相間設定部により設定される前記基準相間に基づいて複数の前記相間電圧のすべてを一律に調整する信号を送出する自動電圧調整部と、
前記自動電圧調整部から送出された信号に基づいて前記配電線路を構成する各配電線の電圧を変更する電圧変更部と、
を備え、
前記基準相間設定部は、
各相間の前記相間電圧から前記基準相間を判定するための相間条件を設定可能な相間条件設定部と、
複数の前記相間電圧の中から前記相間条件に最も適する前記相間電圧の相間を前記基準相間と判定する基準相間判定部とを有し、
前記相間条件設定部は、前記配電線路から電力の供給を受ける需要家設備が整定電圧を望む場合、複数の前記相間電圧の中で最も高い相間と最も低い相間の間の相間電圧を基準相間とする第２の相間条件を設定可能であることを特徴とする自動電圧調整装置。
【請求項４】
前記相間条件設定部は、前記配電線路から電力の供給を受ける需要家設備が整定電圧よりも低い電圧を望む場合、複数の前記相間電圧の中で最も高い相間電圧を基準相間とする第３の相間条件を設定可能である請求項１〜請求項３のいずれか１項に記載の自動電圧調整装置。
【請求項５】
配電線路のすべての相間電圧に基づいて、すべての前記相間電圧を調整する基準となる基準相間を設定する基準相間設定部と、
前記基準相間設定部により設定される前記基準相間に基づいて複数の前記相間電圧のすべてを一律に調整する信号を送出する自動電圧調整部と、
前記自動電圧調整部から送出された信号に基づいて前記配電線路を構成する各配電線の電圧を変更する電圧変更部と、
を備え、
前記基準相間設定部は、
各相間の前記相間電圧から前記基準相間を判定するための相間条件を設定可能な相間条件設定部と、
複数の前記相間電圧の中から前記相間条件に最も適する前記相間電圧の相間を前記基準相間と判定する基準相間判定部とを有し、
前記相間条件設定部は、前記配電線路から電力の供給を受ける需要家設備が整定電圧よりも低い電圧を望む場合、複数の前記相間電圧の中で最も高い相間電圧を基準相間とする第３の相間条件を設定可能であることを特徴とする自動電圧調整装置。
【請求項６】
前記配電線路の各前記相間電圧を計測可能な相間電圧計測部を備える請求項１〜請求項５のいずれか１項に記載の自動電圧調整装置。
【請求項７】
前記電圧変更部は、複数の静電容量を切り換え可能に設けられるコンデンサであって、前記各配電線に段階的に接続可能なコンデンサを備える請求項１〜請求項６のいずれか１項に記載の自動電圧調整装置。
【請求項８】
前記電圧変更部は、複数のインダクタンス容量を切り換え可能に設けられるリアクタであって、前記各配電線に段階的に接続可能なリアクタを備える請求項１〜請求項７のいずれか１項に記載の自動電圧調整装置。
【請求項９】
前記電圧変更部は、前記各配電線の電圧を変圧可能に設けられる変圧器であって、前記各配電線に段階的に接続可能な変圧器を備える請求項１〜請求項８のいずれか１項に記載の自動電圧調整装置。
【請求項１０】
請求項１〜請求項９のいずれか１項に記載の複数の自動電圧調整装置と、
前記複数の自動電圧調整装置を連携させて前記配電線路の複数の相間電圧を調整する電圧調整連携部と、
を備え、
前記電圧調整連携部は、前記複数の自動電圧調整装置に対応するすべての相間電圧を収集する相間電圧収集部と、
前記相間電圧収集部が収集した前記相間電圧に基づき、前記複数ある自動電圧調整装置のうち、電力を供給する電源側にある第１の自動電圧調整装置の相間電圧を調整する必要がある場合に、前記第１の自動電圧調整装置より、前記配電線路から電力の供給を受ける需要家設備側にある第２の自動電圧調整装置が調整する相間電圧を、前記第１の自動電圧調整装置が変更した後の相間電圧に補正し得る補正値を前記第２の自動電圧調整装置に提供する補正値提供部と、
を備え
前記複数の自動電圧調整装置は、前記補正値提供部から提供される前記補正値に基づき、前記複数の相間電圧を前記第１の自動電圧調整装置が変更した後の相間電圧に補正する相間電圧補正部を備えることを特徴とする自動電圧調整システム。
【発明の詳細な説明】
【技術分野】
【０００１】
本発明は、配電線路の電圧を調整するための自動電圧調整装置及び自動電圧調整システムに関する。
【背景技術】
【０００２】
従来から配電線路は、一般家庭や工場などの需要家設備に電力を供給するために施設されている。この配電線路は、発電所から高圧送電線路で送電される電力を各需要家設備に配電するために設けられる。配電線路により各需要家設備に供給される供給電圧は、各需要家との契約により決まっている。各需要家設備の負荷設備は、この供給電圧に合わせて設計されている。よって、配電線路の各所には、この供給電圧を維持するために、自動電圧調整装置（以下、「ＳＶＲ」とも略する）が設けられている（特許文献１の段落［０００２］〜段落［０００４］参照）。
【０００３】
このＳＶＲには、複数ある配電線の一つの相間が基準相間として選択されている。ＳＶＲは、この基準相間の電圧に基づき、すべての相間電圧を監視している。そして、ＳＶＲは、各相間電圧が供給電圧の範囲に収まるように配電線路の配電線のすべての相間電圧を調整する。つまり、この基準相間の電圧が供給電圧の範囲より低くなりそうであれば、ＳＶＲは、配電線路の電圧線のすべての電圧を一括して昇圧させる。一方、この基準相間の電圧が供給電圧より高くなりそうであれば、ＳＶＲは、配電線路の電圧線のすべての電圧を一括して降圧させる。
【先行技術文献】
【特許文献】
【０００４】
【特許文献１】特開２００６−２６２５５５号公報
【発明の概要】
【発明が解決しようとする課題】
【０００５】
しかし、この配電線路の各相間電圧が不平衡にあるときでも、ＳＶＲは、各相間電圧間の電圧差に関係なく、基準相間の電圧に基づきすべての相間電圧を一括して変更する。よって、基準相間の電圧は、ＳＶＲによって供給電圧になるように最適に調整される。一方、基準相間以外の他の相間の電圧は、基準相間の電圧を基準に調整される。つまり、他の相間の電圧は、他の相間の電圧と供給電圧との電圧差に関係なく、基準相間の電圧と供給電圧との電圧差が反映される。
【０００６】
よって、本発明は、かかる事情に鑑み、配電線路の複数の配電線のすべての相間電圧にとって適切な電圧となるように各相間電圧を一括して調整することができる自動電圧調整装置及び自動電圧調整システムを提供することを課題とする。
【課題を解決するための手段】
【０００７】
本発明に係る自動電圧調整装置は、配電線路のすべての相間電圧に基づいて、すべての前記相間電圧を調整する基準となる基準相間を設定する基準相間設定部と、前記基準相間設定部により設定される前記基準相間に基づいて複数の前記相間電圧のすべてを一律に調整する信号を送出する自動電圧調整部と、前記自動電圧調整部から送出された信号に基づいて前記配電線路を構成する各配電線の電圧を変更する電圧変更部と、を備え、前記基準相間設定部は、各相間の前記相間電圧から前記基準相間を判定するための相間条件を設定可能な相間条件設定部と、複数の前記相間電圧の中から前記相間条件に最も適する前記相間電圧の相間を前記基準相間と判定する基準相間判定部とを有し、前記相間条件設定部は、前記配電線路から電力の供給を受ける需要家設備が整定電圧よりも高い電圧を望む場合、複数の前記相間電圧の中で最も低い相間電圧を基準相間とする第１の相間条件を設定可能であることを特徴とする。
【０００８】
かかる構成によれば、基準相間設定部は、すべての相間電圧に基づいて基準相間を設定する。よって、基準相間設定部は、複数の配電線のすべての相間電圧にとって適切な電圧になるように、基準相間を設定することができる。そして、自動電圧調整部は、この基準相間に基づいて配電線路の各相間電圧を一括して調整することができる。つまり、配電線路のすべての相間電圧は、適切な電圧に調整される。基準相間設定部は、相間条件に最も適する相間電圧の相間を基準相間に設定する。よって、複数の配電線の各相間電圧は、相間条件に合う適切な電圧になる。相間条件設定部に第１の相間条件が設定されると、相間条件設定部は、複数の相間電圧の中で最も低い相間電圧を基準電圧に設定する。そして、自動電圧調整部は、この基準相間に基づいて複数の相間電圧のすべてを一律に調整する。よって、自動電圧調整部は、最も低い相間電圧である基準相間に基づいて他の相間電圧を調整すれば、他の相間の電圧を基準相間の電圧よりも低く調整することはない。
【０００９】
また、本発明によれば、前記相間条件設定部は、前記配電線路から電力の供給を受ける需要家設備が前記整定電圧を望む場合、複数の前記相間電圧の中で最も高い相間と最も低い相間の間の相間電圧を基準相間とする第２の相間条件を設定可能であることが好ましい。
【００１０】
かかる構成によれば、相間条件設定部に第２の相間条件が設定されると、相間条件設定部は、複数の相間電圧の中で最も高い相間と最も低い相間の間の相間電圧を基準電圧に設定する。そして、自動電圧調整部は、この基準相間に基づいて複数の相間電圧のすべてを一律に調整する。よって、自動電圧調整部は、最も高い相間と最も低い相間の間の相間電圧である基準相間に基づいて他の相間電圧を調整すれば、他の相間の電圧を整定電圧から離れすぎないように調整することができる。
【００１１】
また、本発明に係る自動電圧調整装置は、配電線路のすべての相間電圧に基づいて、すべての前記相間電圧を調整する基準となる基準相間を設定する基準相間設定部と、前記基準相間設定部により設定される前記基準相間に基づいて複数の前記相間電圧のすべてを一律に調整する信号を送出する自動電圧調整部と、前記自動電圧調整部から送出された信号に基づいて前記配電線路を構成する各配電線の電圧を変更する電圧変更部とを備え、前記基準相間設定部は、各相間の前記相間電圧から前記基準相間を判定するための相間条件を設定可能な相間条件設定部と、複数の前記相間電圧の中から前記相間条件に最も適する前記相間電圧の相間を前記基準相間と判定する基準相間判定部とを有し、前記相間条件設定部は、前記配電線路から電力の供給を受ける需要家設備が整定電圧を望む場合、複数の前記相間電圧の中で最も高い相間と最も低い相間の間の相間電圧を基準相間とする第２の相間条件を設定可能であることを特徴とする。
【００１２】
かかる構成によれば、基準相間設定部は、すべての相間電圧に基づいて基準相間を設定する。よって、基準相間設定部は、複数の配電線のすべての相間電圧にとって適切な電圧になるように、基準相間を設定することができる。そして、自動電圧調整部は、この基準相間に基づいて配電線路の各相間電圧を一括して調整することができる。つまり、配電線路のすべての相間電圧は、適切な電圧に調整される。基準相間設定部は、相間条件に最も適する相間電圧の相間を基準相間に設定する。よって、複数の配電線の各相間電圧は、相間条件に合う適切な電圧になる。相間条件設定部に第２の相間条件が設定されると、相間条件設定部は、複数の相間電圧の中で最も高い相間と最も低い相間の間の相間電圧を基準電圧に設定する。そして、自動電圧調整部は、この基準相間に基づいて複数の相間電圧のすべてを一律に調整する。よって、自動電圧調整部は、最も高い相間と最も低い相間の間の相間電圧である基準相間に基づいて他の相間電圧を調整すれば、他の相間の電圧を整定電圧から離れすぎないように調整することができる。
【００１３】
また、本発明によれば、前記相間条件設定部は、前記配電線路から電力の供給を受ける需要家設備が整定電圧よりも低い電圧を望む場合、複数の前記相間電圧の中で最も高い相間電圧を基準相間とする第３の相間条件を設定可能であることが好ましい。
【００１４】
かかる構成によれば、相間条件設定部に第３の相間条件が設定されると、相間条件設定部は、複数の相間電圧の中で最も高い相間電圧を基準電圧に設定する。そして、自動電圧調整部は、この基準相間に基づいて複数の相間電圧のすべてを一律に調整する。よって、自動電圧調整部は、最も高い相間電圧である基準相間に基づいて他の相間電圧を調整すれば、他の相間の電圧を基準相間の電圧よりも高く調整することはない。
【００１５】
また、本発明に係る自動電圧調整装置は、配電線路のすべての相間電圧に基づいて、すべての前記相間電圧を調整する基準となる基準相間を設定する基準相間設定部と、前記基準相間設定部により設定される前記基準相間に基づいて複数の前記相間電圧のすべてを一律に調整する信号を送出する自動電圧調整部と、前記自動電圧調整部から送出された信号に基づいて前記配電線路を構成する各配電線の電圧を変更する電圧変更部とを備え、前記基準相間設定部は、各相間の前記相間電圧から前記基準相間を判定するための相間条件を設定可能な相間条件設定部と、複数の前記相間電圧の中から前記相間条件に最も適する前記相間電圧の相間を前記基準相間と判定する基準相間判定部とを有し、前記相間条件設定部は、前記配電線路から電力の供給を受ける需要家設備が整定電圧よりも低い電圧を望む場合、複数の前記相間電圧の中で最も高い相間電圧を基準相間とする第３の相間条件を設定可能であることを特徴とする。
【００１６】
かかる構成によれば、基準相間設定部は、すべての相間電圧に基づいて基準相間を設定する。よって、基準相間設定部は、複数の配電線のすべての相間電圧にとって適切な電圧になるように、基準相間を設定することができる。そして、自動電圧調整部は、この基準相間に基づいて配電線路の各相間電圧を一括して調整することができる。つまり、配電線路のすべての相間電圧は、適切な電圧に調整される。基準相間設定部は、相間条件に最も適する相間電圧の相間を基準相間に設定する。よって、複数の配電線の各相間電圧は、相間条件に合う適切な電圧になる。相間条件設定部に第３の相間条件が設定されると、相間条件設定部は、複数の相間電圧の中で最も高い相間電圧を基準電圧に設定する。そして、自動電圧調整部は、この基準相間に基づいて複数の相間電圧のすべてを一律に調整する。よって、自動電圧調整部は、最も高い相間電圧である基準相間に基づいて他の相間電圧を調整すれば、他の相間の電圧を基準相間の電圧よりも高く調整することはない。
【００１７】
また、本発明によれば、前記配電線路の各前記相間電圧を計測可能な相間電圧計測部を備えることが好ましい。
【００１８】
かかる構成によれば、基準相間設定部は、相間電圧計測部によって計測された相間電圧に基づいて基準相間を設定することができる。
【００１９】
また、本発明によれば、前記電圧変更部は、複数の静電容量を切り換え可能に設けられるコンデンサであって、前記各配電線に段階的に接続可能なコンデンサを備えることが好ましい。
【００２０】
かかる構成によれば、電圧変更部は、基準相間の電圧に基づきコンデンサの静電容量を切り換えて、複数の相間電圧のすべてを一律に調整することができる。
【００２１】
また、本発明によれば、前記電圧変更部は、複数のインダクタンス容量を切り換え可能に設けられるリアクタであって、前記各配電線に段階的に接続可能なリアクタを備えることが好ましい。
【００２２】
かかる構成によれば、電圧変更部は、基準相間の電圧に基づきリアクタのインダクタンス容量を切り換えて、複数の相間電圧のすべてを一律に調整することができる。
【００２３】
また、本発明によれば、前記電圧変更部は、前記各配電線の電圧を変圧可能に設けられる変圧器であって、前記各配電線に段階的に接続可能な変圧器を備えることが好ましい。
【００２４】
かかる構成によれば、電圧変更部は、基準相間の電圧に基づき変圧器を変圧して、複数の相間電圧のすべてを一律に調整することができる。
【００２５】
本発明に係る自動電圧調整システムは、前述の複数の自動電圧調整装置と、前記複数の自動電圧調整装置を連携させて前記配電線路の複数の相間電圧を調整する電圧調整連携部と、を備え、前記電圧調整連携部は、前記複数の自動電圧調整装置に対応するすべての相間電圧を収集する相間電圧収集部と、前記相間電圧収集部が収集した前記相間電圧に基づき、前記複数ある自動電圧調整装置のうち、電力を供給する電源側にある第１の自動電圧調整装置の相間電圧を調整する必要がある場合に、前記第１の自動電圧調整装置より、前記配電線路から電力の供給を受ける需要家設備側にある第２の自動電圧調整装置が調整する相間電圧を、前記第１の自動電圧調整装置が変更した後の相間電圧に補正し得る補正値を前記第２の自動電圧調整装置に提供する補正値提供部と、を備え、前記複数の自動電圧調整装置は、前記補正値提供部から提供される前記補正値に基づき、前記複数の相間電圧を前記第１の自動電圧調整装置が変更した後の相間電圧に補正する相間電圧補正部を備えることを特徴とする。
【００２６】
かかる構成によれば、電圧調整連携部は、相間電圧収集部により複数の自動電圧調整装置に対応するすべての相間電圧の値を収集する。そして、電圧調整連携部は、第１の自動電圧調整装置の相間電圧の調整によって需要家設備側の第２の自動電圧調整装置の相間電圧の影響を補正するために、補正値提供部により提供される補正値を第２の自動電圧調整装置に提供する。各自動電圧調整装置は、この補正値により、第１の自動電圧調整装置が相間電圧を変更した後の相間電圧に、計測された相間電圧を補正することができる。そして、各自動電圧調整装置は、この補正された相間電圧に基づいて基準相間を設定する。よって、各自動電圧調整装置は、この基準相間に基づいて配電線路の各相間電圧を一括して調整することができる。
【発明の効果】
【００２７】
以上の如く、本発明に係る自動電圧調整装置及び自動電圧調整システムによれば、配電線路の複数の配電線のすべての相間電圧にとって適切な電圧となるように各相間電圧を一括して調整することができるという優れた効果を奏する。
【図面の簡単な説明】
【００２８】
【図１】本発明の第１の実施形態に係る自動電圧調整システムの全体ブロック図を示す。
【図２】同実施形態に係る遠制開閉器のブロック図を示す。
【図３】同実施形態に係る自動電圧調整装置の電源変圧器のブロック図を示す。
【図４】同実施形態に係る自動電圧調整装置のブロック図を示す。
【図５】同実施形態に係る自動電圧調整装置の制御に関するフローチャートを示す。
【図６】同実施形態に係る自動電圧調整装置の制御に関するフローチャートを示す。
【図７】本発明の第２の実施形態及び第３の実施形態に係る自動電圧調整システムの全体ブロック図を示す。
【図８】同実施形態に係る自動電圧調整装置のブロック図を示す。
【図９】同実施形態に係る自動電圧調整装置のＳＳＣ又はＳＳＲのブロック図を示す。
【図１０】本発明の第４の実施形態に係る自動電圧調整システムの全体ブロック図を示す。
【図１１】同実施形態に係る遠隔監視装置のブロック図を示す。
【図１２】同実施形態に係る自動電圧調整装置のブロック図を示す。
【図１３】同実施形態に係る遠隔監視装置の制御に関するフローチャートを示す。
【図１４】同実施形態に係る自動電圧調整装置の制御に関するフローチャートを示す。
【図１５】同実施形態に係る自動電圧調整装置の制御に関するフローチャートを示す。
【発明を実施するための形態】
【００２９】
本発明の第１の実施形態に係る自動電圧調整装置について、図１〜図６を参照しつつ説明する。この自動電圧調整システム１は、図１に示すように、少なくも３線以上で配電する配電方式の配電線路９に設けられる。つまり、配電線路９の配電方式は、単相３線式や３相３線式、３相４線式などであることが好ましい。本実施形態では、この配電線路９が３相３線式の配電方式である例を示す。つまり、この配電線路９は、３つの配電線９１，…を有する。このすべての配電線９１，…は、電力制御所から３相交流の６６００Ｖの供給電圧で供給される電圧線である。以下、本実施形態では、各配電線９１のことをｕ相９１ｕ、ｖ相９１ｖ、ｗ相９１ｗと称する。また、各配電線９１の相間には、３相交流の６６００Ｖの相間電圧が印加されている。以下、本実施形態では、各配電線９１の相間について、ｕ相９１ｕとｖ相９１ｖとの間の相間をｕ−ｖ相間９１ｕｖ、ｖ相９１ｖとｗ相９１ｗとの間の相間をｖ−ｗ相間９１ｖｗ、ｗ相９１ｗとｕ相９１ｕとの間の相間をｗ−ｕ相間９１ｗｕと称する。
【００３０】
配電線路９には、配電線路９の適所に設けられる複数の変圧器９２，…と、該変圧器９２，…を介して接続される複数の負荷設備９３，…と、が設けられる。変圧器９２は、配電線路９の供給電圧を基準として負荷設備９３で使用する使用電圧に降圧する。本実施形態では、負荷設備９３が２つある例を説明する。これらの負荷設備９３ａ，９３ｂは、単相負荷である。よって、各負荷設備９３ａ，９３ｂに接続される変圧器９２，９２は、単相変圧器９２ａ，９２ｂを使用する。そして、２つある負荷設備９３ａ，９３ｂのうち、一方の負荷設備である第１の負荷設備９３ａに接続される単相変圧器９２ａは、配電線のｕ−ｖ相間９１ｕｖに接続される。また、他方の負荷設備である第２の負荷設備９３ｂに接続される単相変圧器９２ｂは、配電線のｗ−ｕ相間９１ｗｕに接続される。つまり、第１の単相変圧器９２ａと第２の単相変圧器９２ｂとは、配電線９１の異なる相間に接続されている。
【００３１】
自動電圧調整システム１は、配電線路９を流れる負荷電流の流れを開閉可能な遠制開閉器２と、配電線路９の相間電圧が供給電圧の許容範囲（整定電圧）に収まるようにすべての相間電圧を一括して調整する自動電圧調整装置３と、遠制開閉器２の開閉制御を電力制御所などの遠方から遠隔監視する遠隔監視装置４と、を備える。
【００３２】
遠制開閉器２は、図２に示すように、配電線９１ｕ，９１ｖ，９１ｗが形成する電路を開閉する開閉器本体２１と、該開閉器本体２１を制御する開閉器制御部２２と、外部と通信する通信部２３と、を備える。
【００３３】
開閉器本体２１は、開閉器制御部２２からの開閉制御信号に基づき配電線９１ｕ，９１ｖ，９１ｗが形成する電路を開路又は閉路する。つまり、開閉器制御部２２から開路信号が入力されると、開閉器本体２１は、配電線９１ｕ，９１ｖ，９１ｗが形成する電路を開路して、負荷電流の流れを遮断する。一方、開閉器制御部２２から閉路信号が入力されると、開閉器本体２１は、配電線９１ｕ，９１ｖ，９１ｗが形成する電路を閉路して、負荷電流を通電させる。
【００３４】
開閉器制御部２２は、開閉器本体２１を開閉制御する開閉制御部２４と、配電線路９の各相間電圧を計測可能な相間電圧計測部２５と、を備える。
【００３５】
開閉制御部２４は、開閉制御信号を遠隔監視装置４から通信部２３を介して受信する。そして、開閉制御部２４は、この開閉制御信号を開閉器本体２１に入力することにより、開閉器本体２１を開閉制御する。
【００３６】
相間電圧計測部２５は、配電線９１の相間電圧を計測する電圧計測部２６と、電圧計測部２６が計測する相間を切り換える相間切換部２７と、を備える。
【００３７】
電圧計測部２６は、複数ある配電線９１の相間の中から１つの相間を選択して計測する。電圧計測部２６は、計測した相間電圧に、計測した相間を判別可能な相間識別信号を付与する。そして、電圧計測部２６は、これらの信号を相間電圧計測信号として、通信部２３を介して自動電圧調整装置３に送信する。
【００３８】
相間切換部２７は、電圧計測部２６が１つの相間の計測が完了すると、次の相間電圧を計測するために、開閉器本体２１に対して相間切換信号を送信して、配電線９１の相間を切り換える。
【００３９】
通信部２３は、自動電圧調整装置３や遠隔監視装置４との間で信号の送受信を行う入出力インターフェースである。通信部２３は、自動電圧調整装置３と遠隔監視装置４との間をＣＴＣ（Ｃｏｍｍｏｎ  Ｔｅｌｅｃｏｎｔｒｏｌ）方式で接続されている。
【００４０】
自動電圧調整装置３は、図１に示すように、配電線路９を構成する各配電線９１の電圧を変更する電圧変更部５と、該電圧変更部５を制御する制御部６と、遠制開閉器２との間で信号の送受信を行う外部信号送受信部７と、を備える。
【００４１】
電圧変更部５は、配電線路９の各配電線９１の電圧を変圧可能に設けられる変圧器であって、各配電線９１に段階的に接続可能な変圧器である。つまり、電圧変更部５は、所謂、電源変圧器（以下、電圧変更部と同じ符号５を付す）５である。
【００４２】
電源変圧器５は、図３に示すように、接続される配電線９１の電圧を変圧する変圧器本体５１と、該変圧器本体５１の変圧比を切り換える変圧比設定部（所謂、「タップ」のこと）５２と、変圧器本体５１の変圧比に関する外部からの信号を受け付ける信号受付部５３と、を備える。
【００４３】
変圧器本体５１は、電力制御所から送電される１次側（上流側）の電力の電圧を必要に応じて降圧又は昇圧するために設けられる。そして、変圧器本体５１は、電力制御所から送電される２次側（下流側）にその変圧された電力を送り出す。
【００４４】
変圧比設定部５２は、１次側の電圧から２次側の電圧に変圧する変圧比を変圧器本体５１に設定するために設けられる。変圧比設定部５２は、信号受信部５３からの信号に基づいて変圧器本体５１の変圧比を設定する。そして、変圧比設定部５２は、この変圧比を切り換えることにより、１次側の電圧を降圧し、又は昇圧することができる。
【００４５】
信号受付部５３は、変圧比設定部５２に設定されている変圧比を切り換えるためのタップ切換信号を外部から受け付ける。そして、信号受信部５３は、外部から発信されるこのタップ切換信号を変圧比設定部５２に入力する中継端子台である。
【００４６】
制御部６は、図４に示すように、配電線路９のすべての相間電圧に基づいて、すべての相間電圧を調整する基準となる基準相間を設定する基準相間設定部６１と、基準相間設定部６１により設定される基準相間に基づいて複数の相間電圧のすべてを一律に調整する自動電圧調整部６２と、を備える。
【００４７】
基準相間設定部６１は、各相間の相間電圧から基準相間を判定するための相間条件を設定可能な相間条件設定部６３と、各相間の相間電圧の中から所定の相間条件に最も適する相間電圧の相間を基準相間と判定する基準相間判定部６４と、を備える。
【００４８】
相間条件設定部６３は、複数の相間条件を設定可能に構成されている。具体的には、相間条件設定部６３は、３つの相間条件を有する。具体的には、相間条件設定部６３には、相間条件として、２次側（負荷側）のすべての相間電圧が整定電圧（供給電圧）より低めになるように基準相間を設定する第１の相間条件と、２次側のすべての相間電圧が整定電圧に最も近づくように基準相間を設定する第２の相間条件と、２次側のすべての相間電圧が整定電圧より高めになるように基準相間を設定する第３の相間条件と、が選択可能に設けられている。
【００４９】
第１の相間条件は、配電線路９から電力の供給を受ける需要家設備が整定電圧よりも高い電圧を望む場合、複数の相間電圧の中で最も低い相間電圧（最小相間）を基準相間とする。第１の相間条件は、（ａ）負荷側に分散型電源（一般太陽光発電）があり、電力会社の電圧が高めで発電の抑制が懸念される場合、（ｂ）負荷側の亘長が短く、高圧の電圧降下が軽微な場合、（ｃ）負荷側の亘長が長く、負荷側需要家設備の負荷が少なく（電流が少なく）、電圧降下が軽微な場合、（ｄ）高圧の需要家設備に設置されている進相コンデンサが過大で、フェランチ現象により配電線９１に電圧上昇が見られる場合、などに設定される。
【００５０】
第２の相間条件は、配電線路９から電力の供給を受ける需要家設備が整定電圧を望む場合、複数の相間電圧の中で最も高い相間と最も低い相間の間の相間電圧（中間相間）を基準相間とする。第２の相間条件は、（ａ）激しい３相電圧不平衡が配電線特性にみられ、中間相間の制御整定でなければ適正な電圧範囲内を逸脱してしまう場合、（ｂ）３相電圧不平衡が配電線特性にほとんど見られずに整定表どおりの整定が可能な場合、（ｃ）作業による配電線転負荷（切替操作）を頻繁に行う配電線９１へ設置され、負荷側の配電線特性に３相電圧不平衡がみられる場合の中間相間での制御が必要な場合、などに設定される。
【００５１】
第３の相間条件は、配電線路９から電力の供給を受ける需要家設備が整定電圧よりも低い電圧を望む場合、複数の相間電圧の中で最も高い相間電圧（最大相間）を基準相間とする。第３の相間条件は、（ａ）負荷側の亘長が長く、高圧の電圧降下が多大な場合、（ｂ）負荷側の亘長が短いが負荷側需要家設備の負荷が多く（電流が大きく）、電圧降下が多大な場合、（ｃ）作業による配電線転負荷（切替操作）を頻繁に行う配電線９１へ設置され、通常は、亘長が短く高圧の電圧降下が軽微であるが、転負荷により電圧降下が多大になる場合、（ｄ）負荷側の配電線特性に瞬時電圧降下（フリッカ）がみられ、電圧のベースアップにより、需要家設備（照明等）への影響を緩和させる場合、などに設定される。
【００５２】
基準相間判定部６４は、外部信号送受信部７を介して遠制開閉器２から送信される各相間電圧から、相間条件設定部６３で設定される相間条件に最適な相間を判定する。相間条件設定部６３が第１の相間条件に設定されているとき、基準相間判定部６４は、各相間電圧に対して、各相間の相間電圧の中で最も低い相間電圧である相間であるか否かを判定する。相間条件設定部６３が第２の相間条件に設定されているとき、基準相間判定部６４は、各相間電圧に対して、各相間の相間電圧の中で整定電圧に近い相間電圧である相間であるか否かを判定する。相間条件設定部６３が第３の相間条件に設定されているとき、基準相間判定部６４は、各相間電圧に対して、各相間の相間電圧の中で最も高い相間電圧である相間であるか否かを判定する。そして、基準相間判定部６４は、その基準相間の電圧を電圧制御量演算部６５に対して入力する。
【００５３】
自動電圧調整部６２は、配電線路９の相間電圧が整定電圧となる電源変圧器５の制御量を演算する電圧制御量演算部６５と、配電線路９の相間電圧を整定する整定電圧を設定する整定電圧設定部６６と、を備える。電圧制御量演算部６５は、基準相間の電圧が整定電圧となる制御量に相当するタップ切換信号を電源変圧器５に送信することにより、配電線路９の相間電圧を調整する。整定電圧設定部６６は、本実施形態であれば、交流の６６００Ｖが設定されている。
【００５４】
外部信号送受信部７は、遠制開閉器２との間で信号の送受信を行う入出力インターフェースである。
【００５５】
遠隔監視装置４は、図２に示すように、配電線路９を遠隔監視する遠隔監視部４１と、配電線路９の相間条件を遠隔から各自動電圧調整装置３に設定する相間条件設定部４２と、遠制開閉器２と通信する通信部４３と、を備える。
【００５６】
次に、同実施形態に係る自動電圧調整装置の動作について、図１〜図６を参照しつつ説明する。まず、遠制開閉器２は、図２に示すように、各配電線９１の相間電圧を計測する。計測された相間電圧は、通信部２３を介して、相間電圧計測信号として自動電圧調整装置３に送信される。そして、電圧計測部２６が１つの相間の電圧の計測を完了すると、相間切換部２７は、計測する相間を切り換える。電圧計測部２６は、再び相間切換部２７によって切り換えられた相間の電圧を計測する。このようにして、遠制開閉器２は、すべての相間電圧を計測して自動電圧調整装置３に相間電圧計測信号を送信する。
【００５７】
自動電圧調整装置３は、図４及び図５に示すように、外部信号送受信部７がすべての相間の相間電圧計測信号を遠制開閉器２から受信する（ステップＳ１でＹＥＳ）と、基準相間判定部６４で基準相間の判定を行う。
【００５８】
基準相間判定部６４は、相間条件設定部６３に設定されている相間条件が第１の相間条件であるとき（ステップＳ２でＹＥＳ）、各相間の相間電圧の中で最も低い相間電圧（最小相間）を基準相間に設定する（ステップＳ３）。基準相間判定部６４は、相間条件が第２の相間条件であるとき（ステップＳ４でＹＥＳ）、各相間の相間電圧の中で最も高い相間と最も低い相間の間の相間電圧（中間相間）を基準相間に設定する（ステップＳ５）。基準相間判定部６４は、相間条件が第３の相間条件であるとき（ステップＳ６でＹＥＳ）、各相間の相間電圧の中で最も高い相間電圧（最大相間）を基準相間に設定する（ステップＳ７）。
【００５９】
基準相間判定部６４は、図４及び図６に示すように、基準相間と判定した相間の相間電圧を電圧制御量演算部６５に送信する（ステップＳ８）。電圧制御量演算部６５は、整定電圧設定部６６に設定されている整定電圧と比較して、基準相間の電圧が整定電圧となる電圧制御量を演算する（ステップＳ９）。そして、電圧制御量演算部６５は、この電圧制御量に相当するタップ切換信号を発生させて、電源変圧器５に送信する（ステップＳ１０）。
【００６０】
電源変圧器５は、図３及び図６に示すように、電圧制御量演算部６５から受信したタップ切換信号から変圧器本体５１の変圧比を設定し、配電線９１の相間電圧を一律に調整する（ステップＳ１１）。
【００６１】
このようにして、基準相間設定部６１は、すべての相間電圧に基づいて基準相間を設定する。よって、基準相間設定部６１は、複数の配電線のすべての相間電圧によって適切な電圧になるように、基準相間を設定することができる。そして、自動電圧調整部６２は、この基準相間に基づいて配電線路９の各相間電圧を一括して調整することができる。つまり、配電線路９のすべての相間電圧は、適切な電圧に調整される。
【００６２】
また、基準相間設定部６１は、相間条件に最も適する相間電圧の相間を基準相間に設定する。よって、複数の配電線９１の各相間電圧は、相間条件に合う適切な電圧になる。
【００６３】
具体的には、相間条件設定部６３に第１の相間条件が設定されると、相間条件設定部６３は、複数の相間電圧の中で最も低い相間電圧を基準電圧に設定する。そして、自動電圧調整部６２は、この基準相間に基づいて複数の相間電圧のすべてを一律に調整する。よって、自動電圧調整部６２は、最も低い相間電圧である基準相間に基づいて他の相間電圧を調整すれば、他の相間の電圧を基準相間の電圧よりも低く調整することはない。
【００６４】
また、相間条件設定部６３に第２の相間条件が設定されると、相間条件設定部６３は、複数の相間電圧の中で最も高い相間と最も低い相間の間の相間電圧を基準電圧に設定する。そして、自動電圧調整部６２は、この基準相間に基づいて複数の相間電圧のすべてを一律に調整する。よって、自動電圧調整部６２は、最も高い相間と最も低い相間の間の相間電圧である基準相間に基づいて他の相間電圧を調整すれば、他の相間の電圧を整定電圧から離れすぎないように調整することができる。
【００６５】
また、相間条件設定部６３に第３の相間条件が設定されると、相間条件設定部６３は、複数の相間電圧の中で最も高い相間電圧を基準電圧に設定する。そして、自動電圧調整部６２は、この基準相間に基づいて複数の相間電圧のすべてを一律に調整する。よって、自動電圧調整部６２は、最も高い相間電圧である基準相間に基づいて他の相間電圧を調整すれば、他の相間の電圧を基準相間の電圧よりも高く調整することはない。
【００６６】
また、相間条件は、遠方の電力制御所に設置される遠隔監視装置４から遠隔にて設定することができる。つまり、相間条件は、配電線路９の各所に設けられる自動電圧調整装置３で設定される必要がない。よって、自動電圧調整装置３の現地での整定を省略することができる。また、現場での相間電圧の測定が不要となる。そして、電圧管理業務の負担は、軽減される。
【００６７】
また、電源変圧器５は、基準相間の電圧に基づき変圧器を変圧して、複数の相間電圧のすべてを一律に調整することができる。
【００６８】
よって、この自動電圧調整システム１は、需要家設備の中に１以上の単相設備が不均一に接続された配電線路に適用することができる。つまり、この需要家設備に接続される相間の電圧は、単相負荷の運転状況により不平衡となるときがある。本発明は、このようなときに効果を発揮する。なお、この自動電圧調整システム１は、配電線路９の複数の配電線９１のすべての電圧を均一に昇圧または降圧するものであり、不均衡を解消するものではない。
【００６９】
この自動電圧調整システム１は、配電線９１に対して複数の負荷設備を電気的に均一となるように接続された場合であっても、その後の各負荷設備の運転状況により配電線路の各相間に対して電気的に均一に負荷がかからないときにも適用できる。
【００７０】
また、需要家設備には、分散型電源やオンサイト電源などの発電設備が併設される場合がある。これらの設備は、電力系統と同期を取って配電線路９に電力を供給することがある。このような場合についても、自動電圧調整システム１は、配電線９１に接続される相間に対して電力を供給することにより、配電線路９の各相間に対して電気的に均一とならないときに適用できる。なお、ここでいう分散型電源には、太陽光発電設備の他に、小規模水力発電設備、風力発電設備などが含まれる。オンサイト電源には、電力系統と同期を取るための同期設備を備えた設備であって、コージェネレーション発電設備や、ピークカット発電設備などが含まれる。
【００７１】
次に、本発明の第２の実施形態に係る自動電圧調整システムについて、図７〜図９を参照しつつ説明する。なお、第２の実施形態に係る自動電圧調整システム１００は、配電線９１の相間電圧を計測する構成が第１の実施形態に係る自動電圧調整システム１と相違する例である。また、第２の実施形態に係る自動電圧調整システム１００は、配電線９１の相間電圧を調整する構成が第１の実施形態に係る自動電圧調整システム１と相違する例である。よって、本実施形態に係る自動電圧調整システム１００の説明において、これらの相違する構成を中心に説明する。そして、第１の実施形態に係る自動電圧調整システム１と同一の構成については、同じ符号を用いることにより、第１の実施形態に係る対応する構成の説明にて代用するものとする。よって、これらの説明は、繰り返さない。
【００７２】
自動電圧調整システム１００は、図７及び図８に示すように、配電線９１の各相間電圧を遠制開閉器２で計測する代わりに、配電線９１の相間電圧を検出する電圧検出部１２８と、電圧検出部１２８により配電線路９の各相間電圧を計測可能な相間電圧計測部２５と、を備える。電圧検出部１２８は、配電線９１の各相に電圧を検出可能な計器用変流器などである。相間電圧計測部２５は、第１の実施形態に係る遠制開閉器２の相間電圧計測部２５と同じ構成である。このようにして、基準相間設定部６１は、相間電圧計測部２５によって計測された相間電圧に基づいて基準相間を設定することができる。
【００７３】
また、自動電圧調整システム１００の電圧変更部１０５は、図９に示すように、電源変圧器５のかわりに、複数の静電容量を切り換え可能に設けられるコンデンサであって、各配電線９１に段階的に接続可能なコンデンサを備える。つまり、電圧変更部５は、所謂、段階制御式コンデンサ装置（ＳＳＣ；Ｓｔｅｐ  Ｓｗｉｔｃｈｅｄ  Ｃａｐａｃｉｔｏｒ，以下、単に「ＳＳＣ」と略する，また、電圧変更部と同じ符号１０５を付す）１０５である。このＳＳＣ１０５は、相間電圧の電圧低下を抑制するために設けられる。
【００７４】
ＳＳＣ１０５は、複数のコンデンサであるＳＳＣ本体１５１と、該ＳＳＣ本体１５１の投入容量を切り換えるＳＳＣ制御部１５２と、ＳＳＣ本体１５１の投入容量に関する外部からの信号を受け付ける信号受付部５３と、を備える。そして、ＳＳＣ１０５は、電圧制御量演算部６５からの電圧制御信号に基づきコンデンサの静電容量を切り換えて、複数の相間電圧のすべてを一律に調整することができる。
【００７５】
次に、本発明の第３の実施形態に係る自動電圧調整システムについて、図７〜図９を参照しつつ説明する。なお、第３の実施形態に係る自動電圧調整システム２００は、配電線９１の相間電圧を調整する構成が第２の実施形態に係る自動電圧調整システム１００と相違する例である。よって、本実施形態に係る自動電圧調整システム２００の説明において、これらの相違する構成を中心に説明する。そして、第２の実施形態に係る自動電圧調整システム１００と同一の構成については、同じ符号を用いることにより、第２の実施形態に係る対応する構成の説明にて代用するものとする。よって、その説明は、繰り返さない。
【００７６】
自動電圧調整システム２００の電圧変更部２０５は、図９に示すように、ＳＳＣ１０５のかわりに、複数のインダクタンス容量を切り換え可能に設けられるリアクタであって、各配電線９１に段階的に接続可能なリアクタを備える。つまり、電圧変更部２０５は、所謂、段階制御式リアクトル装置（ＳＳＲ；Ｓｔｅｐ  Ｓｗｉｔｃｈｅｄ  Ｒｅａｃｔｏｒ，以下、単に「ＳＳＲ」と略する，また、電圧変更部と同じ符号２０５を付す）２０５である。このＳＳＲ２０５は、相間電圧の電圧上昇を抑制するために設けられる。
【００７７】
ＳＳＲ２０５は、複数のリアクタであるＳＳＲ本体２５１と、該ＳＳＲ本体２５１の投入容量を切り換えるＳＳＲ制御部２５２と、ＳＳＲ本体２５１の投入容量に関する外部からの信号を受け付ける信号受付部５３と、を備える。そして、ＳＳＲ２０５は、電圧制御量演算部６５からの電圧制御信号に基づきインダクタンス容量を切り換えて、複数の相間電圧のすべてを一律に調整することができる。
【００７８】
次に、本発明の第４の実施形態に係る自動電圧調整装置について、図１０〜図１５を参照しつつ説明する。なお、第４の実施形態に係る自動電圧調整システム３００は、１つの配電線路９に直列に複数の自動電圧調整装置３０３，…が設けられる例である。よって、本実施形態に係る自動電圧調整システム３００の説明において、これらの複数の自動電圧調整装置３０３，…による構成及び動作を中心に説明する。そして、第１の実施形態に係る自動電圧調整システム１と同一の構成については、同じ符号を用いることにより、第１の実施形態に係る対応する構成の説明にて代用するものとする。よって、その説明は、繰り返さない。
【００７９】
自動電圧調整システム３００は、図１０に示すように、複数の遠制開閉器２，…と、各遠制開閉器２と通信可能に接続される遠隔監視装置３０４と、遠隔監視装置３０４によりそれぞれが協調して配電線９１の相間電圧を調整可能な複数の自動電圧調整装置３０３，…と、を備える。
【００８０】
遠制開閉器２は、自動電圧調整装置３０３が設けられた配電線９１の位置より２次側に設けられる。つまり、遠制開閉器２は、自動電圧調整装置３０３、つまり、電源変圧器５よりも２次側の配電線９１の相間電圧を計測する。そして、各遠制開閉器２は、複数ある自動電圧調整装置３０３，…ごとに設けられる。
【００８１】
各遠隔監視装置３０４は、図１１に示すように、遠隔監視部４１及び相間条件設定部４２の他に、複数の自動電圧調整装置３０３，…を連携させて配電線路９の複数の相間電圧を調整する電圧調整連携部３４４を、更に備える。
【００８２】
電圧調整連携部３４４は、複数の自動電圧調整装置３０３，…に対応するすべての相間電圧を収集する相間電圧収集部３４５と、他の自動電圧調整装置３０３が調整した配電線９１の相間電圧の影響を相殺して補正し得る補正値を提供する補正値提供部３４６と、を備える。
【００８３】
相間電圧収集部３４５は、複数の遠制開閉器２，…のすべてからそれぞれの相間電圧の値を収集する。そして、相間電圧収集部３４５は、遠制開閉器２，…から収集した相間電圧の値を、各遠制開閉器２に対応する自動電圧調整装置３０３ごとに記憶する。
【００８４】
補正値提供部３４６は、相間電圧収集部３４５が収集した相間電圧に基づき、複数ある自動電圧調整装置３０３，…のうち、電力を供給する電源側にある第１の自動電圧調整装置３０３ａの相間電圧を調整する必要がある場合に、第１の自動電圧調整装置３０３ａより需要家設備側にある第２の自動電圧調整装置３０３ｂが調整する相間電圧を、第１の自動電圧調整装置３０３ａが変更した後の相間電圧に補正し得る補正値を算出する。補正値提供部３４６は、通信部４３を介してこの補正値を第２の自動電圧調整装置３０３ｂに提供する。補正値提供部３４６は、この第１の自動電圧調整装置３０３ａより需要家設備側のすべての第２の自動電圧調整装置３０３ｂに送信する。なお、補正値提供部３４６は、第１の自動電圧調整装置３０３ａの相間電圧を調整する必要がない場合、第２の自動電圧調整装置３０３ｂの相間電圧が第１の自動電圧調整装置３０３ａによって変更されることがないため、第２の自動電圧調整装置３０３ｂへの補正値の提供をしない。
【００８５】
自動電圧調整装置３０３の基準相間設定部３６１は、図１２に示すように、相間条件設定部６３と、補正値提供部３４６から提供される補正値に基づき、複数の相間電圧を第１の自動電圧調整装置３０３ａが変更した後の相間電圧に補正する相間電圧補正部３６７と、配電線路９の相間電圧を補正値により第１の自動電圧調整装置３０３ａが変更した後の相間電圧に補正された相間電圧の中から所定の相間条件に最も適する相間電圧の相間を基準相間と判定する基準相間判定部６４と、を備える。
【００８６】
次に、同実施形態に係る各自動電圧調整装置３０３及び遠隔監視装置３０４の動作について、図１０〜図１５を参照しつつ説明する。まず、自動電圧調整装置３０３のそれぞれに対応して設けられる遠制開閉器２は、各配電線９１の相間電圧を計測する。計測されたすべての相間電圧は、相間電圧計測信号として各自動電圧調整装置３と遠隔監視装置３０４に送信される。
【００８７】
遠隔監視装置３０４では、図１１及び図１３に示すように、相間電圧収集部３４５が遠制開閉器２，…から相間電圧計測信号を受信することにより、相間電圧を収集する。そして、相間電圧収集部３４５がすべての自動電圧調整装置３，…に対応して設けられる遠制開閉器２，…のそれぞれからすべての相間の相間電圧計測信号を受信する（ステップＳ１０１でＹＥＳ）と、補正値提供部３４６が補正値を算出する（ステップＳ１０２）。補正値提供部３４６は、算出された補正値を通信部４３を介して第２の自動電圧調整装置３０３ｂに送信する（ステップＳ１０３）。
【００８８】
一方、各自動電圧調整装置３０３では、図１２及び図１４に示すように、外部信号送受信部７が遠制開閉器２からの相間の相間電圧計測信号を受け付けている。外部信号送受信部７がすべての相間の相間電圧計測信号を遠制開閉器２から受信し（ステップＳ２０１でＹＥＳ）、且つ遠隔監視装置３０４から補正値を受信する（ステップＳ２０２でＹＥＳ）と、相間電圧補正部３６７が対応する遠制開閉器２から受信した相間電圧をその補正値で補正する（ステップＳ２０３）。外部信号送受信部７がすべての相間の相間電圧計測信号を遠制開閉器２から受信し（ステップＳ２０１でＹＥＳ）、且つ遠隔監視装置３０４から補正値を受信しない場合（ステップＳ２０２でＮＯ）、対応する遠制開閉器２から受信した相間電圧を補正しない（図１４のステップＳ２０４へ）。
【００８９】
相間電圧補正部３６７は、図１２及び図１５に示すように、必要に応じて補正された相間電圧を基準相間判定部６４に送信し、相間条件設定部６３に設定されている設定条件に従って基準相間を設定する（ステップＳ２０４〜Ｓ２０９）。
【００９０】
基準相間判定部６４は、基準相間と判定した相間の相間電圧を電圧制御量演算部６５に送信する（ステップＳ２１０）。電圧制御量演算部６５は、基準相間の電圧に基づいてタップ切換信号を発生させて、電源変圧器５に送信する（ステップＳ２１１，Ｓ２１２）。電源変圧器５は、電圧制御量演算部６５から受信したタップ切換信号から変圧器本体５１の変圧比を設定し、配電線９１の相間電圧を一律に調整する（ステップＳ２１３）。
【００９１】
このようにして、電圧調整連携部３４４は、相間電圧収集部３４５により複数の自動電圧調整装置３０３，…から相間電圧の値を収集する。そして、電圧調整連携部３４４は、第１の自動電圧調整装置３０３ａの相間電圧の調整によって需要家設備側の第２の自動電圧調整装置３０３ｂの相間電圧の影響を補正するために、補正値提供部３４６により提供される補正値を第２の自動電圧調整装置３０３ｂに提供する。各自動電圧調整装置３０３は、この補正値により、第１の自動電圧調整装置３０３ａが相間電圧を変更した後の相間電圧に、計測された相間電圧を補正することができる。そして、各自動電圧調整装置３０３は、この補正された相間電圧に基づいて基準相間を設定する。よって、各自動電圧調整装置３０３は、この基準相間に基づいて配電線路９の各相間電圧を一括して調整することができる。
【００９２】
なお、本発明は、上記実施形態に限定されず、本発明の要旨を逸脱しない範囲で様々な変更が可能である。
【００９３】
上記第１又は第４の実施形態に係る自動電圧調整システム１，３００は、自動電圧調整装置３，３０３と遠隔監視装置４，３０４との間の信号の送受信をＣＴＣ方式により行う例を説明したが、これに限定されるものではない。例えば、自動電圧調整装置は、専用の通信回線により接続されていてもよい。また、この通信回線は、有線通信に限定されず、携帯電話などの情報端末を利用した無線通信であってもよい。
【００９４】
上記第１〜第４の実施形態に係る自動電圧調整システム１，１００，２００，３００は、計測した相間電圧を記録する相間電圧記憶装置を備えていてもよい。つまり、電圧変更部５の配電線路９の相間電圧を変更する際、配電線路９を停電させて行うことがある。このとき、ＣＴＣ方式の遠制開閉器２も停電する。よって、遠制開閉器２は、相間電圧を計測することができない。そこで、相間電圧記憶装置が予め各配電線９１の相間電圧を計測して、記憶しておくことにより、遠制開閉器２が停電中であっても電圧変更部５による相間電圧の調整を行うことができる。
【００９５】
上記第１〜第４の実施形態に係る自動電圧調整システム１，１００，２００，３００は、相間電圧計測部２５が複数の相間を１相ずつ切り換えて計測する例を説明したが、これに限定されるものではない。例えば、相間電圧計測部は、一度にすべての相間電圧を計測するように構成されていてもよい。
【００９６】
上記第４の実施形態に係る自動電圧調整システム３００は、遠制開閉器４により相間電圧を計測し、電源変圧器５を制御して配電線路９の相間電圧を調整する第１の実施形態の変形例として説明したが、これに限定されるものではない。例えば、第４の実施形態に係る自動電圧調整システム３００は、相間電圧計測部２５を備える第２又は第３の実施形態に係る自動電圧調整装置を複数備えて構成されるものであってもよい。
【００９７】
上記第２及び第３の実施形態に係る自動電圧調整システム１００，２００は、電圧変更部５がＳＳＣ１０５又はＳＳＲ２０５である例を説明したが、これに限定されるものではない。例えば、電圧変更部は、ＳＳＣとＳＳＲとを配電線路９の各配電線９１に対してそれぞれ並列に接続されるものであってもよい。つまり、電圧変更部は、制御部６からの電圧調整信号に基づいて相間電圧を降圧させるときにＳＳＣを使用し、相間電圧を昇圧させるときにＳＳＲを使用するようにしてもよい。
【００９８】
上記第４の実施形態に係る自動電圧調整システム３００は、電圧調整連携部３４４の相間電圧収集部３４５が複数ある自動電圧調整装置３０３，…に対応して設けられる遠制開閉器２のすべてから相間電圧を順不同に収集する例を説明したが、これに限定されるものではない。例えば、相間電圧収集部は、複数の相間電圧計測部のうち最も電源側に設けられる相間電圧計測部が計測する相間電圧から順に収集するようにしてもよい。
【００９９】
つまり、相間電圧収集部は、複数ある相間電圧計測部から収集する順番を予め決めておき、その順番を記憶する相間電圧収集順序記憶装置（データベース）を備える。そして、相間電圧計測部は、相間電圧収集部から相間電圧の送信指令を受信することができる送信指令受信部を備える。相間電圧計測部は、その送信指令に従って相間電圧を送信する。相間電圧収集部は、相間電圧を収集する際に、この相間電圧収集順序記憶装置に記憶された順番に従って各相間電圧計測部に送信指令を送信し、相間電圧を収集することになる。
【０１００】
相間電圧収集部が相間電圧を収集する順番は、電源側から負荷設備に向かって順番に設定されるように選択してもよい。このようにすることにより、補正値提供部が補正値を提供する自動電圧調整装置は、負荷設備側の自動電圧調整装置に限定することができる。つまり、補正値提供部は、上流側の自動電圧調整装置が相間電圧を変更することにより計測する相間電圧に影響を受ける自動電圧調整装置に限定して、補正値を提供することができる。よって、自動電圧調整装置は、相間電圧の計測を効率的に実施することができる。
【０１０１】
上記第４の実施形態に係る自動電圧調整システム３００は、相間電圧収集部が各相間電圧計測部に計測させたすべての相間電圧を収集する例を説明したが、これに限定されるものではない。例えば、相間電圧収集部は、各自動電圧調整装置で相間電圧の調整が必要であると判断したときにのみ、変更しようとしている相間電圧（又はその差分）を受け付け、補正値提供部で補正値を算出するようにしてもよい。このようにすることによって、補正値提供部は、必要なときだけ、補正値を算出し、各自動電圧調整装置に他の自動電圧調整装置による相間電圧の変更に伴う影響による無駄な相間電圧の変更を避けることができる。
【符号の説明】
【０１０２】
１…自動電圧調整システム、２…遠制開閉器、２１…開閉器本体、２２…開閉器制御部、２３…通信部、２４…開閉制御部、２５…相間電圧計測部、２６…電圧計測部、２７…相間切換部、３…自動電圧調整装置、４…遠隔監視装置、４１…遠隔監視部、４２…相間条件設定部、４３…通信部、５…電源変圧器（電圧変更部）、５１…変圧器本体、５２…変圧比設定部、５３…信号受付部、６…制御部、６１…基準相間設定部、６２…自動電圧調整部、６３…相間条件設定部、６４…基準相間判定部、６５…電圧制御量演算部、６６…整定電圧設定部、７…外部信号送受信部、９…配電線路、９１…配電線、９１ｕ…配電線のｕ相、９１ｕｖ…配電線のｕ−ｖ相間、９１ｖ…配電線のｖ相、９１ｖｗ…配電線のｖ−ｗ相間、９１ｗ…配電線のｗ相、９１ｗｕ…配電線のｗ−ｕ相間、９２…変圧器、９２ａ…第１の単相変圧器、９２ｂ…第２の単相変圧器、９３…負荷設備、９３ａ…第１の負荷設備、９３ｂ…第２の負荷設備、１００…自動電圧調整システム、１０３…自動電圧調整装置、１０５…段階制御式コンデンサ装置（ＳＳＣ；電圧検出部）、１５１…ＳＳＣ本体、１５２…ＳＳＣ制御部、１２８…電圧検出部、２００…自動電圧調整システム、２０３…自動電圧調整装置、２０５…段階制御式リアクトル装置（ＳＳＲ；電圧検出部）、２５１…ＳＳＲ本体、２５２…ＳＳＲ制御部、３００…自動電圧調整システム、３０３…自動電圧調整装置、３０３ａ…第１の自動電圧調整装置、３０３ｂ…第２の自動電圧調整装置、３０４…遠隔監視装置、３４４…電圧調整連携部、３４５…相間電圧収集部、３４６…補正値提供部、３６１…基準相間設定部、３６７…相間電圧補正部
【図１】
0005518909.tif 000002
【図２】
0005518909.tif 000003
【図３】
0005518909.tif 000004
【図４】
0005518909.tif 000005
【図５】
0005518909.tif 000006
【図６】
0005518909.tif 000007
【図７】
0005518909.tif 000008
【図８】
0005518909.tif 000009
【図９】
0005518909.tif 000010
【図１０】
0005518909.tif 000011
【図１１】
0005518909.tif 000012
【図１２】
0005518909.tif 000013
【図１３】
0005518909.tif 000014
【図１４】
0005518909.tif 000015
【図１５】
0005518909.tif 000016